(57)【要約】  本発明の液晶表示装置用バックライトユニットは、光源と、前記光源で発散された光をガイドする第１導光板と、前記第１導光板の後に配置され、前記第１導光板の予め設定された領域と前後方向に重なる位置または前後方向に重ならない位置に選択的に置かれるように移動可能に設置される第２導光板と、前記第２導光板を移動させる駆動力を提供する駆動部と、を含む。本発明によれば、前後方向に二つの導光板が備えられ、後方の導光板が摺動方式で移動して前方の導光板の予め設定された領域と重なるかまたは重ならない位置に選択的に置かれるため、ゲームマシンに適用する場合、予め設定された領域を通して後方のリールが選択的に見えるようにすることができる。【選択図】図２
2015536017.tif 000002
【特許請求の範囲】
【請求項１】
光源と、
前記光源で発散された光をガイドする第１導光板と、
前記第１導光板の後に配置され、前記第１導光板の予め設定された領域と前後方向に重なる位置または前後方向に重ならない位置に選択的に置かれるように移動可能に設置される第２導光板と、
前記第２導光板を移動させる駆動力を提供する駆動部と、
を含む液晶表示装置用バックライトユニット。
【請求項２】
前記第１導光板の後面には、第１光散乱パターンが形成され、
前記第１光散乱パターンは、前記第１導光板の後面のうち、前記予め設定された領域には形成されず、前記予め設定された領域を除いた領域に形成される、請求項１に記載の液晶表示装置用バックライトユニット。
【請求項３】
前記第１光散乱パターンの後面を覆う第１反射シートをさらに含む、請求項２に記載の液晶表示装置用バックライトユニット。
【請求項４】
前記第２導光板の後面には、第２光散乱パターンが形成される、請求項２に記載の液晶表示装置用バックライトユニット。
【請求項５】
前記第２光散乱パターンの後面を覆う第２反射シートをさらに含む、請求項４に記載の液晶表示装置用バックライトユニット。
【請求項６】
前記第２導光板は、上下方向に摺動して前記予め設定された領域と前後方向に重なる位置と、前記前後方向に重ならない位置との間を移動するように設置される、請求項１に記載の液晶表示装置用バックライトユニット。
【請求項７】
前記駆動部は、
前記第２導光板に固定される固定フレームと、
前記固定フレームに連結されて上下方向に駆動される摺動部材と、
前記摺動部材を上下方向に移動させる駆動力を提供するアクチュエーターと、を含む、請求項１に記載の液晶表示装置用バックライトユニット。
【請求項８】
前記光源で発散された光の一部を前記第２導光板に流入するように案内する光ガイド部材をさらに含む、請求項１に記載の液晶表示装置用バックライトユニット。
【請求項９】
前記光源は、前記第１導光板の一側終端に隣接して配置され、
前記光ガイド部材の一端は、前記第１導光板の他側終端に密着し、他端は、前記第２導光板が前記予め設定された領域と重なる位置にある時、前記第２導光板の終端に密着して形成される、請求項８に記載の液晶表示装置用バックライトユニット。
【請求項１０】
前記光ガイド部材は、前記第１導光板の終端から後方に連結されるための連結部を含む、請求項９に記載の液晶表示装置用バックライトユニット。
【請求項１１】
前記連結部は、曲線形態を有する、請求項１０に記載の液晶表示装置用バックライトユニット。
【請求項１２】
前記光ガイド部材は、前記第１導光板の後に並んで配置され、
前記光源は、前記第１導光板および前記光ガイド部材に光をそれぞれ照射可能に配置される、請求項８に記載の液晶表示装置用バックライトユニット。
【請求項１３】
前記光源の外側を囲み、前記光源で発散された光が前記第１導光板の終端および前記光ガイド部材の終端に流入することを向上させる光カバーをさらに含む、請求項１２に記載の液晶表示装置用バックライトユニット。
【請求項１４】
請求項１〜１３のいずれか一項に記載のバックライトユニットと、
前記バックライトユニットの前記第１導光板の前に配置される液晶パネルと、を含む液晶表示装置。
【請求項１５】
請求項１〜１３のいずれか一項に記載のバックライトユニットと前記バックライトユニットの前に配置される液晶パネルとを含む液晶表示装置と、
前記バックライトユニットの後に配置され、複数の記号が表示される一つ以上のリールと、を含み、
前記リールは、選定される記号が表示される記号選定領域が前記予め設定された領域と前後方向に重なるように配置されるゲームマシン。
【発明の詳細な説明】
【技術分野】
【０００１】
本発明は、液晶表示装置用バックライトユニット（ｂａｃｋｌｉｇｈｔ  ｕｎｉｔ）、およびこれを含む液晶表示装置とゲームマシンに関する。
【背景技術】
【０００２】
各種ゲームに対する需要が増加しながら多様な種類のゲームマシンが登場し、その一例としてカジノなどで使用されるスロットマシンが挙げられる。
【０００３】
スロットマシンのようなゲームマシンは、絵柄や数字のような記号が表示された複数のリール（ｒｅｅｌ）を備え、このリールに表示される記号の組み合わせによりゲームの結果が左右される方式を採択する場合がある。
【０００４】
最近、このようなリールを備えたゲームマシンに液晶パネルを採用し、この液晶パネルにゲームの進行に必要な各種情報や広告などを表示する方式が導入された。
【０００５】
液晶パネルはリールの前に配置されるが、この場合、液晶パネルの後に位置するリールに表示される記号を液晶パネルの前で見ることができることが要求される。このために、多様な方式が導き出されたが、例えば、大韓民国公開特許公報第１０−２００７−００５５７６６号（発明の名称：ディスプレイ画面が具備されたゲームマシン）には、液晶表示装置のバックライトユニットの導光板を透明あるいは半透明材質で形成し、導光板の領域のうち、後方のリールの記号表示部に該当する領域にはスクラッチ（ｓｃｒａｔｃｈ）あるいはドット（ｄｏｔ）方式のパターンを形成しないことによって、このパターンが形成されない領域を通して後にあるリールの記号を液晶表示装置の前で見ることができるようにする方式が開示されており、大韓民国公開特許公報第１０−２００６−００４９３２８号（発明の名称：ゲーム機）には、バックライトユニットの拡散シート、導光板、反射体などの領域のうち、リールの記号表示領域に対応する領域を除去することによって、リールの記号を液晶表示装置の前で見ることができるようにする方式が開示されている。
【０００６】
しかしながら、大韓民国公開特許公報第１０−２００７−００５５７６６号に開示された方式によれば、導光板にスクラッチやドット方式のパターンが形成されない領域が存在するようになるため、光を均一に透過させる導光板の機能が低下してバックライトユニットの全体的な光効率が落ちる問題があった。また、大韓民国公開特許公報第１０−２００６−００４９３２８号に開示された方式によれば、拡散シート、導光板、反射体などに開口が存在し、液晶表示装置がこの部分にイメージを表示することができないため、リールを使用したゲームを行わない時に液晶表示装置の領域のうち、この開口に該当する部分にはイメージが表示されない問題があった。
【０００７】
なお、このようなゲームマシンに適用できるバックライトユニットが大韓民国登録特許１０−１０２４６５７号（名称：画面分割が可能な二重表示タイプのディスプレー装置）、大韓民国公開特許公報１０−２０１２−００４０００５号（名称：二重表示機能を有するバックライトユニット）、大韓民国登録特許１０−１０４７５９７号（名称：二重光導波管）、大韓民国登録特許１０−０９８９４０１号（名称：二重表示機能を有するバックライトユニット）、大韓民国登録特許１０−０９８４８０４号（名称：二重表示機能を有するバックライトユニット）などに開示されているが、リールの前に導波管などが存在してリールが鮮明に見えない問題や、導波管に別途の光源を付加しなければならない問題や、その構造が複雑である問題などがあった。
【先行技術文献】
【特許文献】
【０００８】
【特許文献１】大韓民国公開特許公報第１０−２００７−００５５７６６号
【特許文献２】大韓民国公開特許公報第１０−２００６−００４９３２８号
【特許文献３】大韓民国登録特許１０−１０２４６５７号
【特許文献４】大韓民国公開特許公報１０−２０１２−００４０００５号
【特許文献５】大韓民国登録特許１０−１０４７５９７号
【特許文献６】大韓民国登録特許１０−０９８９４０１号
【特許文献７】大韓民国登録特許１０−０９８４８０４号
【発明の概要】
【発明が解決しようとする課題】
【０００９】
本発明は、前述のような問題点を解決するために導き出されたものであって、本発明の目的は、予め設定された領域が完全に開口になって、後方のリールの記号が鮮明に視認されるようにする液晶表示装置用バックライトユニット、およびこれを含む液晶表示装置とゲームマシンを提供することにある。
【課題を解決するための手段】
【００１０】
前記目的を達成するための本発明の実施形態に係る液晶表示装置用バックライトユニットは、光源と、前記光源で発散された光をガイドする第１導光板と、前記第１導光板の後に配置され、前記第１導光板の予め設定された領域と前後方向に重なる位置または前後方向に重ならない位置に選択的に置かれるように移動可能に設置される第２導光板と、前記第２導光板を移動させる駆動力を提供する駆動部と、を含む。
【００１１】
前記第１導光板の後面には、第１光散乱パターンが形成され、前記第１光散乱パターンは、前記第１導光板の後面のうち、前記予め設定された領域には形成されず、前記予め設定された領域を除いた領域に形成されてもよい。
【００１２】
本発明の実施形態に係る液晶表示装置用バックライトユニットは、前記第１光散乱パターンの後面を覆う第１反射シートをさらに含むことができる。
【００１３】
前記第２導光板の後面には、第２光散乱パターンが形成されてもよい。
【００１４】
本発明の実施形態に係る液晶表示装置用バックライトユニットは、前記第２光散乱パターンの後面を覆う第２反射シートをさらに含むことができる。
【００１５】
前記第２導光板は、上下方向に摺動して前記予め設定された領域と前後方向に重なる位置と、前記前後方向に重ならない位置との間を移動するように設置されてもよい。
【００１６】
前記駆動部は、前記第２導光板に固定される固定フレームと、前記固定フレームに連結されて上下方向に駆動される摺動部材と、前記摺動部材を上下方向に移動させる駆動力を提供するアクチュエーターと、を含むことができる。
【００１７】
本発明の実施形態に係る液晶表示装置用バックライトユニットは、前記光源で発散された光の一部を前記第２導光板に流入するように案内する光ガイド部材をさらに含むことができる。
【００１８】
前記光源は、前記第１導光板の一側終端に隣接して配置されてもよく、前記光ガイド部材の一端は、前記第１導光板の他側終端に密着し、他端は、前記第２導光板が前記予め設定された領域と重なる位置にある時、前記第２導光板の終端に密着して形成されてもよい。
【００１９】
前記光ガイド部材は、前記第１導光板の終端から後方に連結されるための連結部を含むことができる。
【００２０】
前記連結部は、曲線形態を有することができる。
【００２１】
前記光ガイド部材は、前記第１導光板の後に並んで配置されてもよく、前記光源は、前記第１導光板および前記光ガイド部材に光をそれぞれ照射可能に配置されてもよい。
【００２２】
本発明の実施形態に係る液晶表示装置用バックライトユニットは、前記光源の外側を囲み、前記光源で発散された光が前記第１導光板の終端および前記光ガイド部材の終端に流入することを向上させる光カバーをさらに含むことができる。
【００２３】
本発明の実施形態に係る液晶表示装置は、前述のバックライトユニットと、前記バックライトユニットの前記第１導光板の前に配置される液晶パネルと、を含むことができる。
【００２４】
本発明の実施形態に係るゲームマシンは、前述のバックライトユニットと前記バックライトユニットの前に配置される液晶パネルとを含む液晶表示装置と、前記バックライトユニットの後に配置され、複数の記号が表示される一つ以上のリールと、を含む。前記リールは、選定される記号が表示される記号選定領域が前記予め設定された領域と前後方向に重なるように配置される。
【発明の効果】
【００２５】
本発明によれば、前後方向に二つの導光板が備えられ、後方の導光板が摺動方式で移動して前方の導光板の予め設定された領域と重なるかまたは重ならない位置に選択的に置かれるため、ゲームマシンに適用する場合、予め設定された領域を通して後方のリールが選択的に見えるようにすることができる。
【図面の簡単な説明】
【００２６】
【図１】本発明の一実施形態に係るゲームマシンの斜視図である。
【図２】本発明の一実施形態に係るゲームマシンの液晶表示装置とリールの分解斜視図である。
【図３】図２のＩＩＩ−ＩＩＩ線に沿った断面図である。
【図４】本発明の一実施形態に係るゲームマシンの液晶表示装置のバックライトユニットの予め設定された領域とリールの記号選定領域との位置関係を説明するための図面である。
【図５】図３でバックライトユニットの第２導光板が下側に移動した状態を示す図面である。
【図６】本発明の他の実施形態に係るゲームマシンの液晶表示装置のバックライトユニットを示す断面図である。
【図７】本発明の一実施形態に係るバックライトユニットの第２導光板を移動させるための駆動部の一例を示す図面である。
【図８】図７のＶＩＩＩ−ＶＩＩＩ線に沿った断面図である。
【発明を実施するための形態】
【００２７】
以下、本発明の実施形態を図面を参照して詳しく説明する。
【００２８】
図面において、各部材を明確に表現するために厚さを拡大して表示し、明細書全体を通して類似する部分については同一の図面符号を付した。部材のある部分が他の部分の「後」または「前」にあるという時、これは他の部分の「直後」または「直前」にある場合だけでなく、その中間にさらに他の部分がある場合も含む。反対に、ある部分が他の部分の「直後」または「直前」にあるという時には、中間にさらに他の部分がないことを意味する。
【００２９】
図１を参照すれば、本発明の一実施形態に係るゲームマシンは、キャビネット（ｃａｂｉｎｅｔ）形態の本体１０１を備え、ゲーム遂行に必要な各種部品および制御器などが本体１０１に装着される。
【００３０】
例えば、本体１０１には、コインや貨幣などを投入するための投入口１０３、ゲーム遂行のための各種の入力ボタン１０５など、ゲーム遂行に必要な各種部品が装着されたり形成されたりしてもよい。
【００３１】
図２乃至図４を参照すれば、本発明の一実施形態に係るゲームマシンは、映像を表示するためのディスプレイ装置である液晶表示装置２００と、この液晶表示装置２００の後に配置されるリール（ｒｅｅｌ）３００とを含む。
【００３２】
液晶表示装置２００は、液晶パネル（ｌｉｑｕｉｄ  ｃｒｙｓｔａｌ  ｄｉｓｐｌａｙ−ｐａｎｅｌ）２０１と、バックライトユニット（ｂａｃｋｌｉｇｈｔ  ｕｎｉｔ）２０２とを含む。
【００３３】
液晶表示装置２００は、図１に示されているように、液晶パネル２０１の前面がゲームマシンの前方から見えるように、ゲームマシンの本体１０１に設けられる。これによって、液晶表示装置２００は、ゲームマシンの映像表示部として機能し、ゲーム遂行に必要な各種情報やイメージ、その他広告などの映像を表示し、ゲームを行う者がこれを見ることができるように形成される。
【００３４】
本発明の実施形態に係る液晶表示装置２００は、液晶パネル２０１の全体のイメージ表示領域に所望のイメージを表示するように作動したり、または全体のイメージ表示領域のうち、予め設定された領域は透明または半透明な状態に転換されるように作動したりする。この時、透明または半透明であるとは、その後にある物体やイメージなどが前面で見えることができることを意味し、以下で「透明または半透明」を単に「透明」に表記することとする。
【００３５】
ここで、予め設定された領域とは、液晶表示装置２００の後に配置されるリール３００の選定された記号が位置する記号選定領域に対応する領域であり、この予め設定された領域が透明になる場合、液晶表示装置２００の後に配置されたリール３００の記号選定領域に表示された記号（例えば、図形、数字、絵柄など）を、液晶表示装置２００の前方から見ることができる。
【００３６】
液晶表示装置２００が前記予め設定された領域が透明であるように作動する場合、リール３００に表示された記号が前記予め設定された領域を通してゲームマシンの前方から見えるようになるため、リール３００の記号を用いたゲームを行うことができる。この時、液晶表示装置２００は、前記予め設定された領域を通してリール３００の記号３０５が見えるようにすると共に、残りの表示領域にはゲーム遂行に必要な情報やその他必要な情報やイメージなどを表示することもできる。
【００３７】
反面、液晶表示装置２００が前記予め設定された領域が透明でないように作動（例えば、全体のイメージ表示領域にイメージ表示）する場合、液晶表示装置２００は、全体のイメージ表示領域にイメージを表示する通常のディスプレイ装置として作動（つまり、後にあるリールの記号が見えず、全体のイメージ表示領域にイメージが表示されるように作動）することができる。
【００３８】
図２および図３を参照すれば、リール３００は、液晶表示装置２００の後に配置されるようにゲームマシンの本体１０１内に装着される。リール３００は複数個が備えられてもよく、各リール３００は平行な状態で互いに一定に配置される。各リール３００は互いに独立的に回転可能に設置される。
【００３９】
例えば、リール３００は、リールドラム（ｒｅｅｌ  ｄｒｕｍ）３０１と、このリールドラム３０１の外周面に付着されるリールストリップ（ｒｅｅｌ  ｓｔｒｉｐ）３０３とを含むことができる。そして、リールドラム３０１を回転させるためのモータ（ｍｏｔｏｒ）（図示せず）が備えられてもよい。
【００４０】
次に、このような機能を具現するための本発明の実施形態に係るバックライトユニット、およびこれを含む液晶表示装置とゲームマシンについて詳しく説明する。
【００４１】
図２乃至図６を参照すれば、液晶表示装置２００は、前後に並んで配置される液晶パネル２０１と、バックライトユニット２０２とを含む。
【００４２】
液晶パネル２０１は、通常の透明液晶パネルで構成されてもよく、例えば薄層構造のトランジスター層が形成されたガラス板のような、互いに向き合う透明板の間に形成される空間に液晶を封止して形成されてもよい。この時、液晶パネル２０１の基本表示モードはノーマリーホワイト（ｎｏｒｍａｌｌｙ  ｗｈｉｔｅ）で設定されてもよい。ノーマリーホワイトとは、液晶パネルが駆動されない状態で白色表示状態（光が表示面側に透過可能な状態、つまり、表示面側に透過した光が外側で見えることができる状態）が具現されることを意味する。
【００４３】
バックライトユニット２０２は、液晶表示装置２００の光源として作用するものであり、液晶パネル２０１の後に配置される。
【００４４】
一方、図面には省略されているが、液晶表示装置２００は、液晶パネル２０１とバックライトユニット２０２とを組み立てるための各種フレーム（ｆｒａｍｅ）、ホルダー（ｈｏｌｄｅｒ）などからなるシャーシー（ｃｈａｓｓｉｓ）をさらに含むことができる。また、液晶表示装置２００は、液晶パネル２０１を駆動するための駆動回路など、通常的に知られているような各種部品を含むことができる。そして、図面には表現の便宜のために液晶パネル２０１とバックライトユニット２０２との間隔が拡大して表示されているが、両者は互いに密着してもよく、若干の間隔をおいて配置されてもよい。
【００４５】
バックライトユニット２０２は、液晶表示装置２００のイメージ表示のための光を提供し、光源２２０と、複数の導光板（ｌｉｇｈｔ  ｇｕｉｄｉｎｇ  ｐａｎｅｌ）２３０、２４０とを含む。以下、図面符号２３０で指示された導光板を第１導光板、図面符号２４０で指示された導光板を第２導光板と称す。
【００４６】
光源２２０は、陰極線ランプ、ＬＥＤランプのような光を発散できる任意の装置で具現され、例えば図２に示されているように、棒形状のランプで具現されてもよく、第１導光板２３０の下側角部に隣接して配置されてもよい。
【００４７】
第１および第２導光板２３０、２４０は、光源２２０で発散された光の少なくとも一部を受け入れて、その前に位置する液晶パネル２０１に向かうようにガイドする役割を果たす。
【００４８】
第１導光板２３０は、液晶パネル２０１の後に前後方向に重なるように配置され、ほぼ液晶パネル２０１の映像表示領域と同一の大きさおよび形状を有することができる。
【００４９】
第２導光板２４０は、第１導光板２３０の後に配置され、第１導光板２３０の予め設定された領域ＰＡと前後方向に重なる位置、または、前後方向に重ならない位置に選択的に置かれるように、移動可能に設置されてもよい。例えば、第２導光板２４０は、図２および図３で上下方向に移動可能に設置されて、第１導光板２３０の予め設定された領域ＰＡと完全に重なる位置に置かれたり（図３の状態）、第１導光板２３０の予め設定された領域ＰＡと重ならない位置に置かれたりする（図５の状態）。図５において、第２導光板２４０が点線状態であるものは、予め設定された領域ＰＡと前後方向に重なる位置にある場合であり、実線状態であるものは、予め設定された領域ＰＡと前後方向に重ならない位置にある場合である。
【００５０】
例えば、第２導光板２４０は、上下方向に摺動して、予め設定された領域ＰＡと前後方向に重なる位置と前後方向に重ならない位置との間を、移動可能に設置されてもよい。
【００５１】
ここで、第１導光板２３０の予め設定された領域２３０は、後に配置されるリール３００の記号選定領域を含む領域であり、記号選定領域に対応する模様、大きさ、位置を有することができる。つまり、図２および図３を参照すれば、第１導光板２３０の予め設定された領域ＰＡは、リール３００の記号選定領域を含む領域であり、両者は前後方向に重なるように配置される。
【００５２】
これによって、第２導光板２４０が予め設定された領域ＰＡと前後方向に重なる位置にある場合（つまり、図３の状態）、予め設定された領域ＰＡ、第２導光板２４０、そしてリール３００の記号選定領域が前後方向に重なるように配置され、その結果、リール３００の記号選定領域がその前の第２導光板２４０により遮蔽され、これとは異なり、第２導光板２４０が予め設定された領域ＰＡと前後方向に重ならない位置にある場合（つまり、図５の状態）、第２導光板２４０が予め設定された領域ＰＡおよびリール３００の記号選定領域が重なる領域から離脱し、その結果、リール３００の記号選定領域が第２導光板２４０により遮蔽されない。
【００５３】
このように作用する第２導光板２４０を移動させるための駆動力を提供する駆動部２７０が備えられる。図示の便宜のために図２乃至図５には駆動部２７０が省略されており、駆動部２７０については図７を参照して後述する。
【００５４】
第１導光板２３０の後面２３１には、第１光散乱パターン２３２が形成されてもよい。この時、第１光散乱パターン２３２は、第１導光板２３０の後面２３１のうち、前記予め設定された領域ＰＡには形成されず、これを除いた領域に形成される。そして第２導光板２４０の後面２４１には、第２光散乱パターン２４２が形成されてもよい。
【００５５】
このように第１導光板２３０の後面２３１のうち、予め設定された領域ＰＡには光散乱パターンが形成されないことによって、第２導光板２４０が予め設定された領域ＰＡと重ならないように位置する場合に、後にあるリール３００の記号選定領域と前後方向に重なる部分には光散乱パターンが存在しないため、リール３００の記号選定領域が前方でより鮮明に見えることができる。また、第２導光板２４０の後面２４１に第２光散乱パターン２４２が形成されることによって、第２導光板２４０が予め設定された領域ＰＡと前後方向に重なるように位置する場合に、後にあるリール３００の記号選定領域が前方で見えないようにすると共に、液晶表示装置２００の映像表示領域の全体に光が均一に進行するようにすることによって光特性を改善することができる。
【００５６】
そして、第１光散乱パターン２３２の後面を覆う第１反射シート２３３が備えられ、第２光散乱パターン２４２の後面を覆う第２反射シート２４３が備えられてもよい。反射シート２３３、２４３が備えられることによって、導光板２３０、２４０に流入した光が液晶パネル２０１に向かってより良好に進行可能になって、全体的な光効率が向上することができる。
【００５７】
一方、本発明の実施形態に係るバックライトユニット２０２は、光源２２０で発散された光の一部が第２導光板２４０に流入するように案内する、光ガイド部材２５０を含むことができる。
【００５８】
図２を参照すれば、光源２２０は、第１導光板２３０の一側終端（図２および図３で下端）に隣接して配置され、光ガイド部材２５０は、第１導光板２３０の他側終端（つまり、図２および図３で上端）に隣接して配置される。
【００５９】
光ガイド部材２５０の一端２５１は、第１導光板２３０の一側終端に密着し、他端２５３は、第２導光板２４０が予め設定された領域ＰＡと重なる位置にある時（つまり、図３の状態）、第２導光板２４０の終端（つまり、図３で上端）に密着して形成されてもよい。このために、光ガイド部材２５０は、第１導光板２３０の終端からその後方に連結されるための連結部２５５を含むことができる。そして、図示されているように連結部２５５は曲線形態を有することができる。
【００６０】
したがって、第２導光板２４０が図３に示された位置にある場合、光源２２０で発散された光の一部は、第１導光板２３０の上端を通して光ガイド部材２５０の一側終端２５１に流入した後、連結部２５５を経て他側終端２５３を通して第２導光板２４０に流入する。これによって、液晶表示装置２００の全体の映像表示領域に光が均一に進行可能になって、良好なディスプレイ特性を確保することができる。
【００６１】
一方、図６は、本発明の他の実施形態に係るバックライトユニットを示す図面である。
【００６２】
図６を参照すれば、光ガイド部材２６０が第１導光板２３０の後に配置される平板形態を有することができる。光ガイド部材２６０は、第１導光板２３０の後に並んで配置されてもよい。
【００６３】
この時、光源２２０は、第１導光板２３０および光ガイド部材２６０に光をそれぞれ照射可能に配置されてもよい。つまり、図６に示されているように、光源２２０は並んで配置される第１導光板２３０の上端と光ガイド部材２６０の上端に隣接して配置されてもよい。この時、光源２２０は、二つ備えられて、第１導光板２３０の上端と光ガイド部材２６０の上端にそれぞれ隣接して配置されてもよい。一方、他の実施形態では一つの光源２２０が備えられ、ここから出た光が第１導光板２３０の上端と光ガイド部材２６０の上端に分かれて入射されるようにすることもできる。
【００６４】
そして、光源２２０で発散された光が第１導光板２３０の上端と光ガイド部材２６０の上端に集中的に流入するように、光カバー２２１が備えられてもよい。光カバー２２１は、光源２２０の外側を囲み、第１導光板２３０の上端と光ガイド部材２６０の上端側には開放した形態を有することによって、光源２２０から出た光が外側方向に漏洩することを防止し、第１導光板２３０の上端と光ガイド部材２６０の上端に流入することを向上させることができる。
【００６５】
次に、図７および図８を参照して本発明の実施形態によるバックライトユニットの駆動部の一例について説明する。
【００６６】
駆動部２７０は、第２導光板２４０に固定される固定フレーム２７１を備えることができる。図７に示されているように、固定フレーム２７１は、第２導光板２４０の後面に位置する状態で第２導光板２４０に固定されてもよい。図示の便宜のために固定フレーム２７１と第２導光板２４０の詳細な連結関係は省略した。
【００６７】
摺動部材２７３が固定フレーム２７１に連結され、摺動部材２７３は上下方向に移動可能に形成される。例えば、摺動部材２７３はベルトで具現されてもよい。
【００６８】
一方、摺動部材２７３を上下方向に移動させる駆動力を提供するアクチュエーター２７５が備えられ、例えばアクチュエーター２７５は電動モータであってもよい。
【００６９】
図８を参照すれば、アクチュエーター２７５は、回転する出力軸２７４を備え、出力軸２７４には歯車歯２７６が形成されてもよい。そして、ベルト２７３の内側面にはアクチュエーター２７５の歯車歯２７６と噛合する歯車歯２７２が形成されてもよい。一方、第２導光板２４０の上側および下側には、それぞれ回転可能な状態で設置される回転軸２７７、２７９が備えられ、回転軸２７７、２７９にはベルト２７３の歯車歯と噛合する歯車歯２７８、２８０がそれぞれ形成されてもよい。図示されていないが、回転軸２７７、２７９は、フレーム（図示せず）などに回転可能に設置されてもよい。
【００７０】
このような構造によって、アクチュエーター２７５の出力軸２７４が回転する場合、これに噛合したベルト２７３が回転するようになる。その結果、ベルト２７３に固定された固定フレーム２７１が移動し、ベルト２７３の回転方向により第２導光板２４０が上昇または下降することができる。
【００７１】
駆動部２７０の作動により第２導光板２４０の位置が決定され、これによって第２導光板２４０は、予め設定された領域ＰＡと前後方向に重なる位置（図３の状態）、または、予め設定された領域ＰＡと前後方向に重ならない位置（図５の状態）のいずれか一つに、選択的に位置するようになる。
【００７２】
一方、図示されていないが、アクチュエーター２７５の作動を制御するコントローラーが備えられてもよく、例えば、コントローラーは外部入力により第２導光板２４０の位置を調節するための制御信号を出力して、アクチュエーター２７５を駆動することができる。
【００７３】
第２導光板２４０が予め設定された領域ＰＡと前後方向に重なる位置にある場合、リール３００の記号選定領域が前方で見えなくなり、液晶パネル２０１の全体の映像表示領域で映像を表示することによって、液晶パネル２０１を通常のディスプレイ装置として作動させることができる。一方、第２導光板２４０が予め設定された領域ＰＡと前後方向に重ならない位置にある場合、液晶パネル２０１の予め設定された領域ＰＡは透明状態（例えばノーマリーホワイト状態）になるように液晶配向が制御されることによって、予め設定された領域ＰＡを通じてリール３００の記号選定領域を前方から見ることができる。これによって、必要に応じて液晶パネル２０１の全体の映像表示領域に映像を表示したり、または予め設定された領域ＰＡを通じて後にあるリール３００の記号選定領域を前方から見えるようにしたりすることができる。
【００７４】
以上で本発明の実施形態を説明したが、本発明の権利範囲はこれに限定されず、本発明の実施形態から本発明が属する技術分野における通常の知識を有する者により容易に変更されて均等なものに認められる範囲のすべての変更および修正を含む。
【産業上の利用可能性】
【００７５】
本発明は、ゲームマシンなどに適用され得るため、産業上の利用可能性がある。
【符号の説明】
【００７６】
１０１…本体
１０３…投入口
１０５…入力ボタン
２００…液晶表示装置
２０１…液晶パネル
２０２…バックライトユニット
２２０…光源
２２１…光カバー
２３０、２４０…第１、第２導光板
２３１、２４１…後面
２３３、２４３…第１、第２反射シート
２５０、２６０…光ガイド部材
２５１、２５３…一端、他端
２５５…連結部
２７０…駆動部
２７１…固定フレーム
２７２、２７６、２７８、２８０…歯車歯
２７３…摺動部材
２７４…出力軸
２７５…アクチュエーター
２７７、２７９…回転軸
３００…リール
３０１…リールドラム
３０３…リールストリップ
３０５…記号
ＰＡ…予め設定された領域
【図１】
2015536017.tif 000003
【図２】
2015536017.tif 000004
【図３】
2015536017.tif 000005
【図４】
2015536017.tif 000006
【図５】
2015536017.tif 000007
【図６】
2015536017.tif 000008
【図７】
2015536017.tif 000009
【図８】
2015536017.tif 000010
【国際調査報告】
2015536017.tif 000011
2015536017.tif 000012
2015536017.tif 000013
2015536017.tif 000014